(57)【要約】【課題】原稿上の画像を適切に読み取ることができる画像読取装置を提供する。【解決手段】原稿セット部にセットされた原稿を、固定された読取部へ搬送して原稿上の画像の読取を行う画像形成装置１Ａに含まれる画像読取装置１０では、ＭＰＵ２０により、原稿上の画像の読取における読取領域の制御が行われる。設定入力画面ＳＣにおいて読取サイズが設定された場合、読取サイズが設定入力画面ＳＣにおいて設定された読取サイズとなるとともに、読取向きがステップＳ１２の処理によって特定された原稿のセット向きと同じ向きとなるような制御が行われる。【選択図】図５
2006165833.tif 000002
【特許請求の範囲】
【請求項１】
原稿セット部にセットされた原稿を、固定された読取部へ搬送して原稿上の画像の読取を行う画像読取装置であって、
原稿上の画像の読取における読取領域を制御する制御手段と、
前記読取領域のサイズの設定を操作者に入力させるための設定入力手段と、
前記原稿セット部における原稿のセット向きを特定する特定手段と、
を備え、
前記制御手段は、前記読取領域のサイズが前記設定入力手段において設定されたサイズとなるとともに、前記読取領域の向きが前記特定手段によって特定された原稿のセット向きと同じ向きとなるように制御を行うことを特徴とする画像読取装置。
【請求項２】
請求項１に記載の画像読取装置において、
前記特定手段は、
原稿の、搬送方向と垂直な辺の長さを検出する検出手段を含み、
前記検出手段が検出した長さと、前記設定入力手段によってサイズを設定された前記読取領域の所定の辺の長さとの大小関係に基づいて、原稿のセット向きを特定することを特徴とする画像読取装置。
【発明の詳細な説明】
【技術分野】
【０００１】
本発明は、原稿セット部にセットされた原稿を、固定された読取部へ搬送して原稿上の画像の読取を行う画像読取装置に関する。
【背景技術】
【０００２】
従来より、自動原稿給送装置（ＡＤＦ；Automatic Document Feeder）を備える画像読取装置が、スキャナ、ファクシミリおよびコピー機（あるいは、これらの複合機）に用いられている。このような画像読取装置では、ＡＤＦを用いて、原稿セット部にセットされた原稿を、固定された読取部へ搬送して原稿上の画像の読取を行っている。また、このような画像読取装置では、原稿上の画像の読取における読取領域は、原稿の全体となっている。
【０００３】
しかし、原稿上の画像の読取においては、原稿の全体ではなく、原稿の一部のみを読み取ることが要請される場合もある。このような要請に対応するため、画像読取装置において、原稿の一部のみを読み取る技術も知られている（例えば、特許文献１）。
【０００４】
【特許文献１】特開２００２−２９０６７８号公報
【発明の開示】
【発明が解決しようとする課題】
【０００５】
しかし、特許文献１の技術では、原稿上の画像の読取における読取領域の向きを制御できないため、原稿上の画像を適切に読み取ることができない場合もあった。
【０００６】
本発明は、この問題を解決するためになされたもので、原稿上の画像を適切に読み取ることができる画像読取装置を提供することを目的とする。
【課題を解決するための手段】
【０００７】
上記課題を解決するため、請求項１の発明は、原稿セット部にセットされた原稿を、固定された読取部へ搬送して原稿上の画像の読取を行う画像読取装置であって、原稿上の画像の読取における読取領域を制御する制御手段と、前記読取領域のサイズの設定を操作者に入力させるための設定入力手段と、前記原稿セット部における原稿のセット向きを特定する特定手段と、を備え、前記制御手段は、前記読取領域のサイズが前記設定入力手段において設定されたサイズとなるとともに、前記読取領域の向きが前記特定手段によって特定された原稿のセット向きと同じ向きとなるように制御を行う。
【０００８】
請求項２の発明は、請求項１に記載の画像読取装置において、前記特定手段は、原稿の、搬送方向と垂直な辺の長さを検出する検出手段を含み、前記検出手段が検出した長さと、前記設定入力手段によってサイズを設定された前記読取領域の所定の辺の長さとの大小関係に基づいて、原稿のセット向きを特定する。
【発明の効果】
【０００９】
請求項１または請求項２の発明によれば、原稿上の画像の読取領域のサイズを所望のサイズにすることができるとともに、原稿上の画像の読取領域の向きが設定されなくても、原稿上の画像の読取領域の向きが自動的に決定されるので、簡単な操作で原稿上の画像を適切に読み取り可能となる。
【００１０】
請求項２の発明によれば、検出手段が検出した長さと読取領域の所定の辺の長さとがわかれば原稿のセット向きを特定可能であるので、原稿のセット向きを容易に特定可能である。
【発明を実施するための最良の形態】
【００１１】
本発明の実施形態に係る画像形成装置１Ａは、スキャナ機能、ファクシミリ機能およびコピー機能を有する複合機である。当該画像形成装置１Ａは、原稿上の画像の読取を行う画像読取装置１０の要部となるスキャナ１１および自動原稿給送装置（ＡＤＦ；Automatic Document Feeder）１７２を備えている。
【００１２】
＜１  構成＞
＜１．１  外観構成＞
図１および図２は、本発明の実施形態に係る画像形成装置１Ａの概略外観構成を示す図であり、図１がブックカバー１７を閉じた状態の斜視図に相当し、図２がブックカバー１７を開いた状態の斜視図に相当する。
【００１３】
図１および図２に示すように、画像形成装置１Ａは、筐体ＨＳの上面に設けられたスキャナ１１と、筐体ＨＳに内蔵されたプリンタ１２（図１および図２には不図示、図３参照）と、筐体ＨＳにおいて前方へ突出した表示部１３および操作部１４と、筐体ＨＳの下部に設けられた給紙部１５とを備える。さらに、画像形成装置１Ａには、フィニッシング処理を行うフィニッシャ１６が筐体ＨＳの側面に装着され、スキャナ１１へ原稿を搬送（給送）するＡＤＦ１７２を備えるブックカバー１７が筐体ＨＳの上面に取り付けられる。
【００１４】
スキャナ１１は、ＦＢＳ(Flat Bed Scanner)方式およびＡＤＦ方式により、原稿上の画像の読取を行う。図２に示すように、筐体ＨＳの上面には、ＦＢＳ方式による原稿上の画像の読取部となる原稿ガラス１１１ａと、ＡＤＦ方式による原稿上の画像の読取部となる原稿ガラス１１１ｂとが設けられる。固定された原稿ガラス１１１ａ，１１１ｂは、平坦な透明ガラス板で構成されており、筐体ＨＳの内部であってガラス板１１１ａ，１１１ｂの下方に設けられた光源から、ガラス板上の原稿への照射光を透過するとともに、ガラス板上の原稿から、筐体ＨＳの内部であってガラス板１１１ｂの下方に設けられたＣＣＤ(Charge Coupled Device)イメージセンサへの反射光を透過する。一方、原稿ガラス１１１ｂでは、ＡＤＦ１７２から搬送されてきた原稿の読取が行われる。
【００１５】
画像形成装置１Ａには、ユーザインターフェースとして、操作部１４および表示部１３が設けられる。操作部１４は、メカニカルスイッチを含んで構成され、スキャン、ファクシミリ送受信およびコピーに関する各種指示を画像形成装置１Ａに与えるために用いられる。表示部１３は、液晶ディスプレイ等の表示デバイスによって構成され、スキャン、ファクシミリ送受信およびコピーに関する各種情報を表示する。なお、本実施形態では、表示部１３がタッチパネルディスプレイで構成されており、表示部１３が操作部１４の一部の機能を兼ね備えている。
【００１６】
給紙部１５は、前方に引き出し可能な４個の給紙カセット１５１〜１５４を備える。各給紙カセット１５１〜１５４には、所定のサイズ（例えば、Ａ４，Ｂ５等）の記録紙が所定の方向（縦、横）で格納される。
【００１７】
フィニッシャ１６は、画像が形成された記録紙に、ステープル加工やパンチ加工等のフィニッシング処理を施して、排紙トレイ１６１に出力する。図１および図２における矢印ＡＲ１は、画像が形成された記録紙の排出方向を示している。
【００１８】
ブックカバー１７は、ヒンジ１７１を軸として開閉可能となっている。ブックカバー１７の上面に設けられたＡＤＦ１７２は、読取対象の原稿がセットされる原稿トレイ１７３を備えており、原稿ガイド１７４ａ，１７４ｂに沿って差込口１７５にセット（差込）された原稿を原稿ガラス１１１ｂへ給送する。なお、一組の原稿ガイド１７４ａ，１７４ｂのうちの一方（ここでは、原稿ガイド１７４ｂ）は、原稿の幅方向（Ｙ方向）に可動となっている。
【００１９】
＜１．２  内部構成＞
図３は、画像形成装置１Ａの内部構成を示すブロック図である。
【００２０】
画像形成装置１Ａは、ＭＰＵ（マイクロプロセッサ；MicroProcessor Unit）２０、ＲＯＭ２１およびＲＡＭ２２を備えるマイクロコンピュータを内蔵している。ＭＰＵ２０は、ＲＯＭ２１に格納されたプログラムを読み出して実行することにより、画像形成装置１Ａの各構成を統括制御する。ＲＡＭ２２は、ＭＰＵ２０による統括制御に必要なデータを一時記憶する。ＭＰＵ２０による統括制御により、画像形成装置１Ａの各種機能が実現される。
【００２１】
ＭＰＵ２０は、操作部１４に対する操作を検出して画像形成装置１Ａの動作へ反映させるとともに、表示部１３における表示内容の制御を行う。
【００２２】
スキャナ１１は、ＣＣＤイメージセンサにより原稿上の画像を読み取り、当該画像に係る画像データを生成する。当該画像データは、画像メモリ２３に記憶され、ファクシミリ送信における送信画像データあるいは原稿コピーにおけるコピー画像データとして利用される。
【００２３】
プリンタ１２は、例えば、ＬＥＤプリンタヘッドを有する電子写真方式のプリンタであり、与えられた画像データに係る画像を記録紙上に形成する。
【００２４】
また、画像形成装置１Ａは、ＡＤＦセットセンサ２７１、ＡＤＦ幅検出センサ２７２およびＡＤＦ長さ検出センサ２７３を包含するセンサ群２７を備える。センサ群２７の検出信号はＭＰＵ２０へ与えられる。
【００２５】
ＡＤＦセットセンサ２７１は、原稿トレイ１７３への原稿セットを検出するセンサである。ＡＤＦ幅検出センサ２７２およびＡＤＦ長さ検出センサ２７３は、それぞれ、原稿トレイ１７３にセットされた矩形の原稿の幅（Ｙ方向の大きさ）および長さ（Ｘ方向の大きさ）を検出するセンサである。ＡＤＦ幅検出センサ２７２としては、原稿ガイド１７４ｂの位置を検出するエンコーダ等が用いられる。ＡＤＦ幅検出センサで検出される原稿の幅は、搬送方向と垂直な辺すなわち主走査方向と平行な辺の長さとなっている。ＡＤＦセットセンサ２７１およびＡＤＦ長さ検出センサ２７３としては、原稿トレイ１７３上の所定位置に固定されたメカニカルスイッチ等が用いられる。なお、原稿の長さを、ＡＤＦ２７１による搬送中に検出するように構成することも妨げられない。
【００２６】
また、画像形成装置１Ａは、ＮＣＵ（網制御装置；Network Control Unit）２４、ＭＯＤＥＭ（モデム；MOdulator DEModulator）２５、ＣＯＤＥＣ（符号化・復号器；COderand DECoder）２６および画像メモリ２３を備える。
【００２７】
ＮＣＵ２４は、一般公衆電話回線網（ＰＳＴＮ；Public Switched Telephone Networks）への接続を制御する。ＮＣＵ２４は、通信先の電話番号（ＦＡＸ番号を含む）に対応したダイヤル信号を送出する機能および着信を検出する機能を備える。
【００２８】
ＭＯＤＥＭ２５は、ＩＴＵ（国際電気通信連合）−Ｔ勧告Ｔ．３０に従ったファクシミリ伝送制御手順に基づいて、Ｖ．１７，Ｖ．２７ｔｅｒ，Ｖ．２９等に従った送信データの変調および受信データの復調を行う。あるいは、ＭＯＤＥＭ２５は、これらに加えて、Ｖ．３４に従った送信データの変調および受信データの復調を行う。ＭＯＤＥＭ２５によって変調された送信データは、ＮＣＵ２４を経由してＰＳＴＮへ送出される。また、ＭＯＤＥＭ２５が復調を行う受信データは、ＮＣＵ２４を経由してＰＳＴＮから与えられる。
【００２９】
ＣＯＤＥＣ２６は、画像メモリ２３に記憶された送信画像データをＭＨ，ＭＲおよびＭＭＲ方式等により符号化（エンコード）するとともに、ＭＯＤＥＭ２５によって復調された受信データを復号（デコード）する。復号により得られた受信画像データは画像メモリ２３に記憶される。
【００３０】
画像形成装置１Ａでは、原稿セット部である原稿トレイ１７３または原稿ガラス１１１ａに読み取りの対象となる原稿がセットされた状態で、操作部１４を介して操作者から与えられた読取開始指示を検出すると、スキャナ１１によって原稿上の画像の読取が行われる。
【００３１】
＜１．３  設定入力画面＞
画像形成装置１Ａでは、表示部１３に表示される設定入力画面ＳＣにより、原稿上の画像の読取に先立って、原稿上の画像の読取領域に関する設定（以下では、「読取設定」とも称する）を操作者に入力させることができる。以下では、当該設定入力画面ＳＣについて、図４の画面例を参照しながら説明する。
【００３２】
図４に示すように、排他的に選択可能なＧＵＩ操作部材であるボタンＢＴ１〜ＢＴ４を備える設定入力画面ＳＣでは、読取領域のサイズを設定可能となっている。
【００３３】
より具体的には、設定入力画面ＳＣでは、読取領域のサイズ（以下では、「読取サイズ」とも称する）として、「Ａ４」「Ａ５」「Ｂ４」および「Ｂ５」を選択して設定可能であり、ボタンＢＴ１，ＢＴ２，ＢＴ３およびＢＴ４を押下すると、読取サイズがそれぞれ「Ａ４」「Ａ５」「Ｂ４」および「Ｂ５」に設定される。もちろん、設定入力画面ＳＣにおいて「Ａ４」「Ａ５」「Ｂ４」および「Ｂ５」以外の読取サイズを選択可能としてもよい。
【００３４】
＜２  動作＞
画像形成装置１Ａに含まれる画像読取装置１０では、ＭＰＵ２０により、原稿上の画像の読取における読取領域の制御が行われる。以下では、このような読取領域の制御に係る動作について、図５および図６を参照しながら説明する。なお、図５は、読取領域の制御に係る動作を説明するフローチャートであり、図６は、原稿Ｄと読取領域Ｒとの関係を模式的に示す図である。
【００３５】
図５に示すように、読取設定の入力が行われた後に、ＡＤＦ方式による原稿上の画像の読取開始指示が与えられると、最初に、ＡＤＦ幅検出センサ２７２により原稿の幅が検出される（ステップＳ１１）。そして、続くステップＳ１２では、原稿トレイ１７３における原稿のセット向きが特定され、特定されたセット向きに応じた処理の分岐が行われる。ステップＳ１２において、原稿のセット向きが「縦」と特定された場合、ステップＳ１３への移行が行われ、原稿のセット向きが「横」と特定された場合、ステップＳ１４への移行が行われる。なお、ステップＳ１２では、原稿の幅と、設定入力画面ＳＣによってサイズを設定された、矩形の読取領域の所定の辺の長さとの大小関係に基づいて原稿のセット向きが特定される。より具体的には、原稿の幅Ｗが読取領域の長辺の長さａ以下である場合、原稿のセット向きが「縦」であると特定され、それ以外の場合、原稿のセット向きが「横」であると特定される。このような原稿のセット向きの特定は、原稿の幅と読取領域の所定の辺の長さとがわかれば可能であるので、容易に実現可能である。
【００３６】
さらに、ステップＳ１３では、読取サイズが設定入力画面ＳＣにより設定された設定サイズ、読取向きが「縦」となるように原稿上の画像の読取（スキャナ１１によるスキャン）が行われ（図６（１）および図６（２）参照）、ステップＳ１４では、読取サイズが設定入力画面ＳＣにより設定された設定サイズ、読取向きが「横」となるように原稿上の画像の読取が行われる（図６（３）および図６（４）参照）。
【００３７】
以上の動作フローにより、設定入力画面ＳＣにおいて読取サイズが設定された場合、読取サイズが設定入力画面ＳＣにおいて設定された読取サイズとなるとともに、読取向きがステップＳ１２の処理によって特定された原稿のセット向きと同じ向きとなるような制御が行われる。これにより、原稿上の画像の読取領域のサイズを所望のサイズにすることができるとともに、読取向きが設定されなくても、読取向きが自動的に決定されるので、簡単な操作で原稿上の画像を適切に読み取り可能となる。
【００３８】
なお、図６に示すように、読取領域Ｒの原稿Ｄ内の位置は特に制限されず、様々な位置に設定することが可能である。
【図面の簡単な説明】
【００３９】
【図１】実施形態に係る画像形成装置１Ａの概略外観構成（ブックカバー１７を閉じた状態）を示す斜視図である。
【図２】実施形態に係る画像形成装置１Ａの概略外観構成（ブックカバー１７を開いた状態）を示す斜視図である。
【図３】実施形態に係る画像形成装置１Ａの内部構成を示すブロック図である。
【図４】原稿上の画像の読取領域に関する設定を操作者に入力させるための設定入力画面ＳＣの例を示す図である。
【図５】原稿上の画像の読取における読取領域の制御に係る動作を説明するフローチャートである。
【図６】原稿Ｐと読取領域Ｒとの関係を模式的に示す図である。
【符号の説明】
【００４０】
１Ａ  画像形成装置
１０  画像読取装置
１１  スキャナ
１２  プリンタ
１３  表示部
１４  操作部
１６  フィニッシャ
１１１ａ，１１１ｂ  原稿ガラス
１７３  原稿トレイ
Ｄ  原稿
Ｒ  読取領域
ＳＣ  設定入力画面
【図１】
2006165833.tif 000003
【図２】
2006165833.tif 000004
【図３】
2006165833.tif 000005
【図４】
2006165833.tif 000006
【図５】
2006165833.tif 000007
【図６】
2006165833.tif 000008